(57)【特許請求の範囲】
【請求項１】
患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得する取得部と、
取得した前記輸液の情報に、同一の手技およびルートである複数の輸液の情報が含まれる場合、前記複数の輸液それぞれの実施状況を示す情報を前記輸液ごとに識別可能に表示する表示制御部と、
を有することを特徴とする医療情報表示装置。
【請求項２】
前記表示制御部は、前記複数の輸液それぞれの実施状況を示す情報を前記輸液の手技およびルートの組み合わせごとに識別可能に表示する、
ことを特徴とする請求項１に記載の医療情報表示装置。
【請求項３】
前記表示制御部は、前記複数の輸液それぞれの実施状況を示す情報を、互いに異なるエリアに表示する、
ことを特徴とする請求項１または２に記載の医療情報表示装置。
【請求項４】
前記表示制御部は、前記輸液の情報が、同一の手技およびルートである複数の前記輸液がなく、前記ルートが分岐された情報を含む場合に、前記輸液の実施状況を時刻に対応付けて表示する情報であるラインについて、前記ルートが分岐された時刻から前記ルートを含む別タイトルを表示する、
ことを特徴とする請求項１〜３のいずれか１つに記載の医療情報表示装置。
【請求項５】
前記表示制御部は、前記輸液の情報が前記ルートの情報を含む場合に、前記輸液の実施状況を時刻に対応付けて表示する情報であるラインについて前記ルートの情報をタイトル名に含むタイトルを表示する、
ことを特徴とする請求項１〜４のいずれか１つに記載の医療情報表示装置。
【請求項６】
前記表示制御部は、前記輸液の実施状況を時刻に対応付けて表示する情報であるラインが重なる場合に、前記ラインについて前記輸液ごとに同名のタイトルを表示する、
ことを特徴とする請求項１〜５のいずれか１つに記載の医療情報表示装置。
【請求項７】
前記表示制御部は、前記輸液の実施状況を時刻に対応付けて表示する情報であるラインが重ならない場合に、既存のタイトル上に前記ラインを表示する、
ことを特徴とする請求項１〜６のいずれか１つに記載の医療情報表示装置。
【請求項８】
前記表示制御部は、前記ルートの変更があった前記輸液の実施状況を時刻に対応付けて表示する情報であるラインについて、前記ラインに所定の文字を付加する、
ことを特徴とする請求項１〜７のいずれか１つに記載の医療情報表示装置。
【請求項９】
前記輸液の情報は、前記手技、前記ルート、前記輸液の点滴速度、および、前記輸液の開始時刻を有し、
前記取得部は、前記輸液の情報を患者の識別情報に対応付けて記憶するデータベースから該輸液の情報を取得する、
ことを特徴とする請求項１〜８のいずれか１つに記載の医療情報表示装置。
【請求項１０】
さらに、前記輸液の情報の入力を受け付けて、受け付けた前記輸液の情報を前記データベースに記憶する受付部を有する、
ことを特徴とする請求項９に記載の医療情報表示装置。
【請求項１１】
患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得し、
取得した前記輸液の情報に、同一の手技およびルートである複数の輸液の情報が含まれる場合、前記複数の輸液それぞれの実施状況を示す情報を前記輸液ごとに識別可能に表示する、
処理をコンピュータが実行することを特徴とする医療情報表示方法。
【請求項１２】
患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得し、
取得した前記輸液の情報に、同一の手技およびルートである複数の輸液の情報が含まれる場合、前記複数の輸液それぞれの実施状況を示す情報を前記輸液ごとに識別可能に表示する、
処理をコンピュータに実行させることを特徴とする医療情報表示プログラム。
【発明の詳細な説明】
【技術分野】
【０００１】
本発明は、医療情報表示装置、医療情報表示方法および医療情報表示プログラムに関する。
【背景技術】
【０００２】
病院に入院中の患者に対する医師による注射オーダを表示し、看護師による実施記録の入力を受け付けるシステムがある。該システムでは、例えば、看護師が患者に対して注射を実施した場合に、注射の手技、開始時刻等がデータベース（以下、ＤＢという。）に登録される。また、看護師は、端末を用いて該ＤＢに基づく注射オーダ等の状況を閲覧できる。
【先行技術文献】
【特許文献】
【０００３】
【特許文献１】特開２００４−１１０８１８号公報
【特許文献２】特表２００２−５２０７１８号公報
【特許文献３】特開２０１４−２１１７８０号公報
【発明の概要】
【発明が解決しようとする課題】
【０００４】
しかしながら、例えば、１つ目の輸液の注射と同一の手技による２つ目以降の輸液の注射がＤＢに登録されると、注射オーダ等の状況の表示では同一のタイトルに複数の輸液を表すラインが重なって表示されてしまう場合がある。このため、それぞれの輸液を表すラインの区別が付きにくく、輸液の投与状況を把握することが困難である。
【０００５】
一つの側面では、本発明は、投与状況を容易に確認できる医療情報表示装置、医療情報表示方法および医療情報表示プログラムを提供することにある。
【課題を解決するための手段】
【０００６】
一つの態様では、医療情報表示装置は、取得部と、表示制御部とを有する。取得部は、患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得する。表示制御部は、取得した前記輸液の情報に、同一の手技およびルートである複数の輸液の情報が含まれる場合、前記複数の輸液それぞれの実施状況を示す情報を前記輸液ごとに識別可能に表示する。
【発明の効果】
【０００７】
投与状況を容易に確認できる。
【図面の簡単な説明】
【０００８】
【図１】図１は、実施例の医療情報システムの構成の一例を示すブロック図である。
【図２】図２は、ＩＮ項目ＤＢの一例を示す図である。
【図３】図３は、入力画面の一例を示す図である。
【図４】図４は、ＩＮ項目ＤＢに記憶される輸液の情報の遷移の一例を示す図である。
【図５】図５は、ＩＮ項目ＤＢに記憶される輸液の情報の遷移の一例を示す図である。
【図６】図６は、経過表画面の一例を示す図である。
【図７】図７は、経過表画面の他の一例を示す図である。
【図８】図８は、実施例の入力処理の一例を示すフローチャートである。
【図９】図９は、実施例の表示処理の一例を示すフローチャートである。
【図１０】図１０は、医療情報表示プログラムを実行するコンピュータの一例を示す図である。
【発明を実施するための形態】
【０００９】
以下、図面に基づいて、本願の開示する医療情報表示装置、医療情報表示方法および医療情報表示プログラムの実施例を詳細に説明する。なお、本実施例により、開示技術が限定されるものではない。また、以下の実施例は、矛盾しない範囲で適宜組みあわせてもよい。
【実施例】
【００１０】
図１は、実施例の医療情報システムの構成の一例を示すブロック図である。図１に示す医療情報システム１は、端末装置１０と、端末装置２０と、サーバ１００とを有する。なお、図１では、端末装置１０および端末装置２０について、それぞれ１つを一例として示したが、端末装置１０および端末装置２０の数は限定されず、任意の数の端末装置１０および端末装置２０を有してもよい。また、端末装置１０は、医療情報表示装置の一例である。
【００１１】
端末装置１０、端末装置２０およびサーバ１００の間は、ネットワークＮを介して相互に通信可能に接続される。かかるネットワークＮには、有線または無線を問わず、インターネットを始め、ＬＡＮ（Local  Area  Network）やＶＰＮ（Virtual  Private  Network）などの任意の種類の通信網を採用できる。
【００１２】
端末装置１０は、例えば、看護師が用いて、注射等の各処置の情報であるオーダの表示、患者の認証、各処置の実施の登録等を行うコンピュータである。端末装置１０は、例えば、サーバ１００から受信した注射オーダの情報を表示して、看護師による患者認証、注射オーダの実施の登録を受け付ける。端末装置１０は、受け付けた登録情報をサーバ１００に送信する。また、端末装置１０は、例えば、サーバ１００から患者に対する注射の輸液および処置の状況に関する情報を受信して、注射の輸液および処置の状況に関する情報を日時順に表す経過表を表示する。端末装置１０の一例としては、タブレット端末を採用できる。端末装置１０には、上記のタブレット端末等の可搬型の端末のみならず、据置型のパーソナルコンピュータを端末装置１０として採用することもできる。また、端末装置１０は、可搬型の端末としては、上記のタブレット端末の他にも、例えば、可搬型のパーソナルコンピュータや、スマートフォン、携帯電話機等の移動体通信端末等を採用することもできる。
【００１３】
端末装置１０は、例えば、ある患者の注射の輸液に関する経過表を表示する場合に、例えば、患者に付加されたバーコードを読み込むことにより患者の識別情報の入力を受け付ける。端末装置１０は、受け付けた患者の識別情報をサーバ１００に送信する。サーバ１００では、受信した患者の識別情報に基づいて、該患者に対する輸液の情報を端末装置１０に送信する。端末装置１０は、サーバ１００から該患者に対する輸液の情報を受信して取得する。端末装置１０は、取得された輸液の情報に、同一の手技およびルートである複数の輸液がある場合に、輸液を表すラインを輸液ごとに別タイトルで表示する。なお、ラインは、輸液の実施状況を時刻に対応付けて表示する情報である。これにより、看護師が輸液の投与状況を容易に確認できる。
【００１４】
すなわち、端末装置１０は、患者の識別情報を受け付けると、患者に対する輸液の手技およびルートを含む輸液の情報を該患者の識別情報に対応付けて記憶する記憶部を参照して、受け付けた識別情報に対応付けられた輸液の情報を取得する。端末装置１０は、取得した輸液の情報に、同一の手技およびルートである複数の輸液の情報が含まれる場合、複数の輸液それぞれの実施状況を示す情報を輸液ごとに識別可能に表示する。これにより、看護師が輸液の投与状況を容易に確認できる。
【００１５】
端末装置２０は、例えば、医師が用いて、注射等の各処置の実施、投薬等を指示するコンピュータである。端末装置２０は、例えば、医師から注射等の各処置の実施、投薬等の入力を受け付けて、入力された情報をサーバ１００に送信する。端末装置２０の一例としては、据置型のパーソナルコンピュータを採用できる。端末装置２０には、上記の据置型のパーソナルコンピュータのみならず、タブレット端末等の可搬型の端末を端末装置２０として採用することもできる。また、端末装置２０は、可搬型の端末としては、上記のタブレット端末の他にも、例えば、可搬型のパーソナルコンピュータや、スマートフォン、携帯電話機等の移動体通信端末等を採用することもできる。
【００１６】
サーバ１００は、例えば、注射や投薬等の各種オーダ、電子カルテ等の医療情報を管理するデータベースを有し、端末装置１０および端末装置２０との間で各種の情報をやりとりする。サーバ１００は、通信部１１０と、記憶部１２０と、制御部１３０とを有する。ここで、データベースを記憶する記憶部１２０の構成について、先に説明する。記憶部１２０は、図示しない各種オーダを記憶するオーダＤＢと、注射の輸液の情報等の状況を示すＩＮ項目ＤＢ１２１とを有する。なお、以下の説明では、輸液の情報を一例として説明するので、該当するＩＮ項目ＤＢ１２１について説明し、データベースの他の構成については説明を省略する。
【００１７】
ＩＮ項目ＤＢ１２１は、患者に対する輸液の手技およびルートを含む輸液の情報を該患者の識別情報に対応付けて記憶する。図２は、ＩＮ項目ＤＢの一例を示す図である。図２に示すように、ＩＮ項目ＤＢ１２１は、「患者ＩＤ」、「手技」、「ルート」、「タイトルＩＤ」、「輸液ＩＤ」、「速度」、「開始時刻」、「変更時刻」、「終了時刻」といった項目を有する。ＩＮ項目ＤＢ１２１は、例えば、輸液に関する実施の情報ごとに１レコードとして記憶する。
【００１８】
「患者ＩＤ」は、患者を識別する識別子、つまり患者の識別情報である。「手技」は、注射を実施する際の技術および手法を示す情報である。「ルート」は、注射を実施する患者の身体の部位や位置、区別色等を識別する情報であり、例えば、青、白、茶といった情報である。「タイトルＩＤ」は、輸液を表すラインのタイトルを識別する識別子である。「輸液ＩＤ」は、輸液を識別する識別子である。「速度」は、点滴速度を示す情報である。「開始時刻」は、注射の開始時刻を示す情報である。「変更時刻」は、例えば、ルートが変更された場合の変更時刻を示す情報である。「終了時刻」は、注射の終了時刻を示す情報である。なお、開始時刻、変更時刻および終了時刻は、年月日の情報を合わせて記憶してもよいが、本実施例では省略している。
【００１９】
図１の説明に戻って、サーバ１００は、例えば、端末装置２０から各処置の実施、投薬等の情報（オーダ）を受信すると、受信した情報をオーダＤＢに記憶するとともに、担当する看護師の端末装置１０に対してオーダを送信する。また、サーバ１００は、例えば、端末装置１０から注射オーダの実施の登録情報、つまり輸液の情報等を受信すると、受信した輸液の情報等をＩＮ項目ＤＢ１２１に記憶する。また、サーバ１００は、例えば、端末装置１０から患者の識別情報を受信すると、患者に対する注射の輸液および処置の状況に関する情報を端末装置１０に送信する。一例を挙げると、サーバ１００は、例えば、端末装置１０から患者の識別情報と、該患者の輸液に関する経過表の選択を示す選択情報とを受信すると、ＩＮ項目ＤＢ１２１に記憶された該患者の輸液の情報を端末装置１０に送信する。
【００２０】
次に、端末装置１０の構成について説明する。図１に示すように、端末装置１０は、通信部１１と、入力部１２と、表示操作部１３と、記憶部１４と、制御部１５とを有する。なお、端末装置１０は、図１に示す機能部以外にも既知のコンピュータが有する各種の機能部、例えば各種の入力デバイスや音声出力デバイス等の機能部を有することとしてもかまわない。
【００２１】
通信部１１は、例えば、無線ＬＡＮ等の通信モジュールやＮＩＣ（Network  Interface  Card）等によって実現される。通信部１１は、ネットワークＮを介してサーバ１００と有線または無線で接続され、サーバ１００との間で情報の通信を司る通信インタフェースである。通信部１１は、サーバ１００からＩＮ項目ＤＢ１２１に記憶された輸液の情報を受信する。通信部１１は、受信した輸液の情報を制御部１５に出力する。また、通信部１１は、制御部１５から入力された輸液の情報と、患者の識別情報と、選択情報とをサーバ１００に送信する。
【００２２】
入力部１２は、例えば、患者の識別情報の入力を受け付ける入力デバイスである。例えば、入力部１２は、患者の識別情報を含むバーコードを読み込むバーコードリーダによって実現される。入力部１２は、読み込んだ患者の識別情報を制御部１５に出力する。
【００２３】
表示操作部１３は、各種情報を表示するための表示デバイス、および、ユーザ、つまり看護師から各種操作を受け付ける入力デバイスである。例えば、表示操作部１３は、表示デバイスとして液晶ディスプレイ等によって実現される。また、例えば、表示操作部１３は、入力デバイスとして、タッチパネル等によって実現される。つまり、表示操作部１３は、表示デバイスと入力デバイスとが一体化される。表示操作部１３は、ユーザによって入力された操作を操作情報として制御部１５に出力する。
【００２４】
記憶部１４は、例えば、ＲＡＭ（Random  Access  Memory）、フラッシュメモリ（Flash  Memory）等の半導体メモリ素子、ハードディスクや光ディスク等の記憶装置によって実現される。記憶部１４は、サーバ１００から受信した輸液の情報等を記憶する。また、記憶部１４は、制御部１５での処理に用いる情報を記憶する。
【００２５】
制御部１５は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１５は、例えば、ＡＳＩＣ（Application  Specific  Integrated  Circuit）やＦＰＧＡ（Field  Programmable  Gate  Array）等の集積回路により実現されるようにしてもよい。制御部１５は、受付部１６と、取得部１７と、表示制御部１８とを有し、以下に説明する情報処理の機能や作用を実現または実行する。なお、制御部１５の内部構成は、図１に示した構成に限られず、後述する情報処理を行う構成であれば他の構成であってもよい。
【００２６】
受付部１６は、例えば注射オーダを表示中の患者認証画面において、注射オーダの開始実施が行われると、経過表に対する入力画面を表示操作部１３に表示させる。受付部１６は、当該入力画面において、患者に対する輸液の情報の入力を受け付ける。受付部１６は、受け付けた輸液の情報、すなわち注射オーダの実施の登録情報を、通信部１１を介してサーバ１００に送信する。また、受付部１６は、輸液の情報として、患者認証画面に表示された注射オーダを、通信部１１を介してサーバ１００に送信する。ここで、輸液の情報は、手技、ルート、輸液の点滴速度、および、輸液の開始時刻を有する。なお、注射オーダは、サーバ１００側で図示しないオーダＤＢからＩＮ項目ＤＢ１２１に記憶させるようにしてもよい。
【００２７】
ここで、図３を用いて入力画面について説明する。図３は、入力画面の一例を示す図である。図３に示す入力画面３０は、経過表に対する入力画面の一例である。入力画面３０は、タイトル欄３１と、入力項目欄３２と、確定ボタン３３とを有する。タイトル欄３１は、患者認証画面に表示された注射オーダから取得した手技およびルートの情報を示す。入力項目欄３２は、ユーザである看護師から各項目の入力を受け付ける。確定ボタン３３は、タイトル欄３１および入力項目欄３２において入力された内容を確定して、サーバ１００に送信するためのボタンである。
【００２８】
続いて、図４および図５を用いて、受付部１６から送信され、サーバ１００のＩＮ項目ＤＢ１２１に記憶される輸液の情報の遷移の一例について説明する。図４および図５は、ＩＮ項目ＤＢに記憶される輸液の情報の遷移の一例を示す図である。図４に示すように、状態３５では、まず、患者ＩＤ「Ｐ００１」の患者に対する注射オーダの開始実施が行われ、入力画面から輸液の情報が入力される。なお、注射オーダは、患者ＩＤ、手技、ルート、輸液ＩＤの情報を含む。また、入力情報は、患者ＩＤ、輸液ＩＤ、速度、開始時刻の情報を含む。状態３５では、注射オーダと入力画面での入力情報とがＩＮ項目ＤＢ１２１のレコード３５ａに記憶される。レコード３５ａには、患者ＩＤ「Ｐ００１」、手技「持続中心静脈  メイン  側管２」、ルート「なし（空欄）」、タイトルＩＤ「Ｔ００１」、輸液ＩＤ「Ｙ００１」、速度「２ｍｌ／ｈ」、開始時刻「１０：００」といった情報が記憶される。
【００２９】
次に、状態３６では、分岐を接続する注射オーダに応じて、例えば入力画面において、分岐を接続した旨の情報が入力される。状態３６では、注射オーダと入力画面での入力情報とがＩＮ項目ＤＢ１２１のレコード３６ａに記憶される。レコード３６ａのルート欄には、ルートの情報である「青」が記憶される。また、レコード３６ａのタイトルＩＤ欄には、レコード３５ａと異なるタイトルであることを示す「Ｔ００２」が記憶される。さらに、レコード３６ａの開始時刻欄には、分岐を接続した時刻である「１１：００」が開始時刻として記憶される。なお、レコード３５ａの変更時刻欄には、分岐が接続された時刻、すなわちレコード３６ａの開始時刻が入力される。このように、レコード３６ａは、レコード３５ａと比べて、ルート「青」の情報が追加されている。つまり、レコード３６ａは、注射のルート上に分岐が接続され、輸液ＩＤ「Ｙ００１」の輸液がルート「青」に接続されていることを示す。
【００３０】
続いて、状態３７では、ルート変更を行う注射オーダに応じて、例えば入力画面において、ルート変更を実施した旨の情報が入力される。状態３７では、注射オーダと入力画面での入力情報とがＩＮ項目ＤＢ１２１のレコード３７ａに記憶される。レコード３７ａのルート欄には、ルートの情報である「白」が記憶される。また、レコード３７ａのタイトルＩＤ欄には、レコード３５ａ，３６ａと異なるタイトルであることを示す「Ｔ００３」が記憶される。さらに、レコード３７ａの開始時刻欄には、ルート変更が実施された時刻である「１４：００」が開始時刻として記憶される。なお、レコード３６ａの変更時刻欄には、ルート変更が実施された時刻、すなわちレコード３７ａの開始時刻が入力される。このように、レコード３７ａは、レコード３６ａと比べて、ルートが「青」から「白」に変更されている。つまり、レコード３７ａは、輸液ＩＤ「Ｙ００１」の輸液がルート「青」から「白」に変更されたことを示す。
【００３１】
次に、状態３８では、２本目の輸液を開始する注射オーダに応じて、例えば入力画面において、２本目の輸液の情報が入力される。状態３８では、注射オーダと入力画面での入力情報とがＩＮ項目ＤＢ１２１のレコード３８ａに記憶される。レコード３８ａには、患者ＩＤ「Ｐ００１」、手技「持続中心静脈  メイン  側管２」、ルート「青」、タイトルＩＤ「Ｔ００２」、輸液ＩＤ「Ｙ００２」、速度「２ｍｌ／ｈ」、開始時刻「１６：００」といった情報が記憶される。つまり、患者には、輸液ＩＤ「Ｙ００１」の輸液と、輸液ＩＤ「Ｙ００２」の輸液とが注射されている状態である。状態３８では、手技「持続中心静脈  メイン  側管２」、ルート「青」に対応する輸液のラインがない状態であるので、タイトルＩＤ「Ｔ００２」で示す既存のタイトルである手技「持続中心静脈  メイン  側管２」、ルート「青」を用いる。
【００３２】
続いて、状態３９では、１本目の輸液のルート変更を行う注射オーダに応じて、例えば入力画面において、ルート変更を実施した旨の情報が入力される。状態３９では、注射オーダと入力画面での入力情報とがＩＮ項目ＤＢ１２１のレコード３９ａに記憶される。レコード３９ａのルート欄には、ルートの情報である「青」が記憶される。また、レコード３９ａのタイトルＩＤ欄には、レコード３５ａ〜３８ａと異なるタイトルであることを示す「Ｔ００４」が記憶される。さらに、レコード３９ａの速度欄には、変更された点滴速度である「３ｍｌ／ｈ」が記憶される。また、レコード３９ａの開始時刻欄には、ルート変更が実施された時刻である「１７：００」が開始時刻として記憶される。なお、レコード３７ａの変更時刻欄には、ルート変更が実施された時刻、すなわちレコード３９ａの開始時刻が入力される。このように、レコード３９ａは、レコード３７ａと比べて、ルートが「白」から「青」に変更されている。つまり、レコード３９ａは、輸液ＩＤ「Ｙ００１」の輸液がルート「白」から「青」に変更されたことを示す。なお、このとき手技およびルート「持続中心静脈  メイン  側管２−青」には、輸液ＩＤ「Ｙ００１」および「Ｙ００２」の２本の輸液が接続されている。
【００３３】
図１の説明に戻って、受付部１６は、例えば、患者に付加されたバーコードが入力部１２で読み取られ、入力部１２から患者の識別情報が入力されると、当該患者の識別情報の入力を受け付ける。受付部１６は、例えば、患者認証画面において経過表の選択を示す選択情報が入力されると、患者の識別情報と選択情報とを、通信部１１を介してサーバ１００に送信する。また、受付部１６は、表示制御部１８に経過表表示指示を出力する。
【００３４】
取得部１７は、受付部１６がサーバ１００に対して送信した患者の識別情報と選択情報とに対応する輸液の情報を、サーバ１００から受信して取得する。取得部１７は、取得した輸液の情報を表示制御部１８に出力する。
【００３５】
表示制御部１８は、受付部１６から経過表表示指示が入力され、取得部１７から輸液の情報が入力されると、注射の輸液および処置の状況に関する情報を日時順に表す経過表を表示操作部１３に表示させる。なお、以下の説明では、輸液について説明する。経過表には、入力された輸液の情報に対応する輸液のラインが表示される。すなわち、表示制御部１８は、輸液の情報に応じて輸液のラインを表示操作部１３に表示させる。表示制御部１８は、取得された輸液の情報に、同一の手技およびルートである複数の輸液がある場合には、輸液のラインを輸液ごとに別タイトルで表示させる。すなわち、表示制御部１８は、複数の輸液それぞれの実施状況を示す情報を輸液ごとに識別可能に表示する。
【００３６】
また、表示制御部１８は、輸液の情報が、同一の手技およびルートである複数の輸液がなく、ルートが分岐された情報を含む場合には、輸液のラインについて、ルートが分岐された時刻からルートを含む別タイトルに表示させる。さらに、表示制御部１８は、輸液の情報がルートの情報を含む場合に、輸液のラインについて、ルートの情報をタイトル名に含むタイトルを表示させる。
【００３７】
また、表示制御部１８は、複数の輸液それぞれの実施状況を示す情報を輸液の手技およびルートの組み合わせごとに識別可能に表示する。さらに、表示制御部１８は、複数の輸液それぞれの実施状況を示す情報を、互いに異なるエリアに表示する。
【００３８】
また、表示制御部１８は、輸液のラインが重なる場合に、輸液のラインについて輸液ごとに同名のタイトルを表示する。さらに、表示制御部１８は、輸液のラインが重ならない場合に、既存のタイトル上に新たな輸液のラインを表示する。
【００３９】
また、表示制御部１８は、ルートの変更があった輸液のラインについて、輸液のラインに所定の文字を付加する。表示制御部１８は、所定の文字として、例えば、輸液の注射の開始時には「★２．０」のように星印と点滴速度とを付加し、ルート変更の場合には「ルート」といった文字を付加する。
【００４０】
ここで、図６および図７を用いて、経過表画面について説明する。図６は、経過表画面の一例を示す図である。図６に示す経過表画面４０は、輸液の情報を含むＩＮ項目を経過表の上部に表示させるボタン４１が押下され、輸液のラインが経過表の上部に表示された状態である。このとき、経過表画面４０の１タイトル目であるタイトル４２には、手技「中心静脈  メイン  ＣＶ（１）」、ルート「青メイン１」、速度「１２５．０」、開始時刻「１０：００」の輸液のライン４２ａが表示される。輸液のライン４２ａには、開始および速度を示す文字「★１２５．０」が付加される。また、タイトル４２のタイトル名表示欄４２ｂには、手技およびルートに基づくタイトル名「中心静脈  メイン  ＣＶ（１）  青メイン１」が表示される。
【００４１】
経過表画面４０の２タイトル目であるタイトル４３には、手技「中心静脈  メイン  ＣＶ（１）」、ルート「茶メイン１」、速度「１２５．０」、開始時刻「１６：００」の輸液のライン４３ａが表示される。輸液のライン４３ａには、開始および速度を示す文字「★１２５．０」が付加される。また、タイトル４３のタイトル名表示欄４３ｂには、手技およびルートに基づくタイトル名「中心静脈  メイン  ＣＶ（１）  茶メイン１」が表示される。
【００４２】
経過表画面４０の３タイトル目であるタイトル４４には、手技「中心静脈  メイン  ＣＶ（１）」、ルート「青メイン１」、速度「１００．０」、開始時刻「１９：００」の輸液のライン４４ａが表示される。輸液のライン４４ａには、開始および速度を示す文字「★１００．０」が付加される。また、タイトル４４のタイトル名表示欄４４ｂには、手技およびルートに基づくタイトル名「中心静脈  メイン  ＣＶ（１）  青メイン１」が表示される。すなわち、３タイトル目のタイトル４４のタイトル名は、１タイトル目のタイトル４２のタイトル名と同一である。このとき、輸液のライン４４ａの開始時刻「１９：００」の時点では、輸液のライン４２ａも継続中であるので、同一のタイトルに表示すると輸液のラインが重なってしまう。従って、輸液ごとに別タイトルとして輸液のラインが表示され、同名のタイトル名が表示される。
【００４３】
図７は、経過表画面の他の一例を示す図である。図７に示す経過表画面５０は、輸液の情報を含むＩＮ項目を経過表の上部に表示させるボタン５１が押下され、輸液のラインが経過表の上部に表示された状態である。なお、図７に示す経過表画面５０は、図２に示すＩＮ項目ＤＢ１２１のデータを経過表として表わしたものである。また、各輸液のラインの遷移については、図４および図５での輸液の情報の遷移と同様である。つまり、図７の経過表画面５０は、図４および図５での輸液の情報の遷移に対応する経過表画面である。
【００４４】
経過表画面５０の１タイトル目であるタイトル５２には、手技「持続中心静脈  メイン  側管２」、ルート「なし」、速度「２．０」、開始時刻「１０：００」、変更時刻「１１：００」の輸液のライン５２ａが表示される。輸液のライン５２ａには、開始および速度を示す文字５２ｂ（「★２．０」）、ルート変更を示す文字５２ｃ（「ルート」）が付加される。また、タイトル５２のタイトル名表示欄５２ｄには、手技およびルートに基づくタイトル名「持続中心静脈  メイン  側管２」が表示される。なお、輸液のライン５２ａは、図２の１レコード目に対応する。
【００４５】
経過表画面５０の２タイトル目であるタイトル５３には、手技「持続中心静脈  メイン  側管２」、ルート「青」、速度「２．０」、開始時刻「１１：００」、変更時刻「１４：００」の輸液のライン５３ａが表示される。輸液のライン５３ａには、ルート変更および速度を示す文字５３ｂ（「ルート２．０」）、ルート変更を示す文字５３ｃ（「ルート」）が付加される。また、タイトル５３のタイトル名表示欄５３ｄには、手技およびルートに基づくタイトル名「持続中心静脈  メイン  側管２−青」が表示される。また、タイトル５３には、輸液のライン５３ａと異なる輸液を示す輸液のライン５３ｅが表示される。輸液のライン５３ｅは、手技「持続中心静脈  メイン  側管２」、ルート「青」、速度「２．０」、開始時刻「１６：００」である。すなわち、輸液のライン５３ｅは、開始時刻が同一タイトルの輸液のライン５３ａの変更時刻よりも後であるので、既存のタイトルであるタイトル５３上に表示される。また、輸液のライン５３ｅには、開始および速度を示す文字５３ｆ（「★２．０」）が付加される。なお、輸液のライン５３ａは、図２の２レコード目に対応する。また、輸液のライン５３ｅは、図２の４レコード目に対応する。
【００４６】
経過表画面５０の３タイトル目であるタイトル５４には、手技「持続中心静脈  メイン  側管２」、ルート「白」、速度「２．０」、開始時刻「１４：００」、変更時刻「１７：００」の輸液のライン５４ａが表示される。輸液のライン５４ａには、ルート変更および速度を示す文字５４ｂ（「ルート２．０」）、ルート変更を示す文字５４ｃ（「ルート」）が付加される。また、タイトル５４のタイトル名表示欄５４ｄには、手技およびルートに基づくタイトル名「持続中心静脈  メイン  側管２−白」が表示される。なお、輸液のライン５４ａは、図２の３レコード目に対応する。
【００４７】
経過表画面５０の４タイトル目であるタイトル５５には、手技「持続中心静脈  メイン  側管２」、ルート「青」、速度「３．０」、開始時刻「１７：００」の輸液のライン５５ａが表示される。輸液のライン５５ａには、ルート変更および速度を示す文字５５ｂ（「ルート３．０」）が付加される。また、タイトル５５のタイトル名表示欄５５ｃには、手技およびルートに基づくタイトル名「持続中心静脈  メイン  側管２−青」が表示される。輸液のライン５５ａは、タイトル５３と同一のタイトル名であるが、輸液のライン５５ａの開始時刻には、タイトル５３には輸液のライン５３ｅが継続中であるので、タイトル５３に表示すると輸液のラインが重なってしまう。従って、輸液のライン５５ａは、同一のタイトル名であるが、輸液のライン５３ｅと別タイトルとして表示される。なお、輸液のライン５５ａは、図２の５レコード目に対応する。
【００４８】
次に、サーバ１００の構成について説明する。図１に示すように、サーバ１００は、通信部１１０と、記憶部１２０と、制御部１３０とを有する。なお、サーバ１００は、図１に示す機能部以外にも既知のコンピュータが有する各種の機能部、例えば各種の入力デバイスや音声出力デバイス等の機能部を有することとしてもかまわない。なお、記憶部１２０については先に説明したので、ここでは説明を省略する。
【００４９】
通信部１１０は、例えば、ＮＩＣ等によって実現される。通信部１１０は、ネットワークＮを介して端末装置１０および端末装置２０と有線または無線で接続され、端末装置１０および端末装置２０との間で情報の通信を司る通信インタフェースである。通信部１１０は、端末装置１０から当該端末装置１０で入力された輸液の情報と、患者の識別情報と、選択情報とを受信する。通信部１１０は、受信した輸液の情報と、患者の識別情報と、選択情報とを制御部１３０に出力する。また、通信部１１０は、制御部１３０から入力された、ＩＮ項目ＤＢ１２１に記憶された輸液の情報を端末装置１０に送信する。また、通信部１１０は、端末装置２０から各処置の実施、投薬等の情報（オーダ）を受信すると、受信した情報を制御部１３０に出力する。また、通信部１１０は、制御部１３０からオーダが入力されると、担当する看護師の端末装置１０に対して入力されたオーダを送信する。
【００５０】
制御部１３０は、例えば、ＣＰＵやＭＰＵ等によって、内部の記憶装置に記憶されているプログラムがＲＡＭを作業領域として実行されることにより実現される。また、制御部１３０は、例えば、ＡＳＩＣやＦＰＧＡ等の集積回路により実現されるようにしてもよい。制御部１３０は、ＤＢ管理部１３１を有し、以下に説明する情報処理の機能や作用を実現または実行する。なお、制御部１３０の内部構成は、図１に示した構成に限られず、後述する情報処理を行う構成であれば他の構成であってもよい。
【００５１】
ＤＢ管理部１３１は、各種ＤＢへの入出力を管理する。ＤＢ管理部１３１は、例えば、ＩＮ項目ＤＢ１２１への入出力を管理する。ＤＢ管理部１３１は、通信部１１０を介して端末装置１０から輸液の情報と、患者の識別情報と、選択情報とを受信する。ＤＢ管理部１３１は、受信した輸液の情報をＩＮ項目ＤＢ１２１に記憶する。また、ＤＢ管理部１３１は、受信した患者の識別情報と選択情報とに基づいて、ＩＮ項目ＤＢ１２１を検索し、患者の識別情報と選択情報とに対応する輸液の情報を抽出する。ＤＢ管理部１３１は、抽出した輸液の情報を、通信部１１０を介して端末装置１０に送信する。また、ＤＢ管理部１３１は、通信部１１０を介して端末装置２０から各処置の実施、投薬等の情報（オーダ）を受信する。ＤＢ管理部１３１は、受信した当該オーダを、通信部１１０を介して担当する看護師の端末装置１０に送信する。
【００５２】
次に、実施例の医療情報システム１の動作について説明する。まず、端末装置１０で入力された情報をサーバ１００のＩＮ項目ＤＢ１２１に記憶する入力処理について説明する。図８は、実施例の入力処理の一例を示すフローチャートである。
【００５３】
端末装置１０の受付部１６は、例えば注射オーダを表示中の患者認証画面において、注射オーダの開始実施が行われると、経過表に対する入力画面を表示操作部１３に表示させる（ステップＳ１）。受付部１６は、当該入力画面において、患者に対する輸液の情報の入力を受け付ける（ステップＳ２）。受付部１６は、受け付けた輸液の情報をサーバ１００に送信する。サーバ１００のＤＢ管理部１３１は、端末装置１０から輸液の情報を受信する。ＤＢ管理部１３１は、受信した輸液の情報をＩＮ項目ＤＢ１２１に記憶する（ステップＳ３）。これにより、端末装置１０は、入力されたオーダの実施の記録をサーバ１００のＩＮ項目ＤＢ１２１に記憶できる。
【００５４】
次に、端末装置１０で経過表画面を閲覧する場合の表示処理について説明する。図９は、実施例の表示処理の一例を示すフローチャートである。
【００５５】
端末装置１０の受付部１６は、例えば、患者に付加されたバーコードが入力部１２で読み取られ、入力部１２から患者の識別情報が入力されると、当該患者の識別情報の入力を受け付ける（ステップＳ１１）。受付部１６は、例えば、患者認証画面において経過表を表示する旨の選択情報が入力されると（ステップＳ１２）、患者の識別情報と選択情報とをサーバ１００に送信する。また、受付部１６は、表示制御部１８に経過表表示指示を出力する。
【００５６】
サーバ１００のＤＢ管理部１３１は、端末装置１０から患者の識別情報と選択情報とを受信する。ＤＢ管理部１３１は、受信した患者の識別情報と選択情報とに基づいて、ＩＮ項目ＤＢ１２１を検索し、患者の識別情報と選択情報とに対応する輸液の情報を抽出する。ＤＢ管理部１３１は、抽出した輸液の情報を、端末装置１０に送信する。
【００５７】
端末装置１０の取得部１７は、受付部１６がサーバ１００に対して送信した患者の識別情報と選択情報とに対応する輸液の情報を、サーバ１００から受信して取得する（ステップＳ１３）。取得部１７は、取得した輸液の情報を表示制御部１８に出力する。
【００５８】
表示制御部１８は、受付部１６から経過表表示指示が入力され、取得部１７から輸液の情報が入力されると、輸液の情報に応じて輸液のラインを表示操作部１３に表示させる（ステップＳ１４）。これにより、端末装置１０は、輸液の投与状況を容易に確認できるように表示できる。
【００５９】
このように、端末装置１０は、患者の識別情報を受け付けると、患者に対する輸液の手技およびルートを含む輸液の情報を該患者の識別情報に対応付けて記憶する記憶部を参照して、受け付けた識別情報に対応付けられた輸液の情報を取得する。また、端末装置１０は、取得した輸液の情報に、同一の手技およびルートである複数の輸液の情報が含まれる場合、複数の輸液それぞれの実施状況を示す情報を輸液ごとに識別可能に表示する。その結果、投与状況を容易に確認できる。
【００６０】
また、端末装置１０は、複数の輸液それぞれの実施状況を示す情報を輸液の手技およびルートの組み合わせごとに識別可能に表示する。その結果、投与状況を容易に確認できる。
【００６１】
また、端末装置１０は、複数の輸液それぞれの実施状況を示す情報を、互いに異なるエリアに表示する。その結果、投与状況を容易に確認できる。
【００６２】
また、端末装置１０は、輸液の情報が、同一の手技およびルートである複数の輸液がなく、ルートが分岐された情報を含む場合に、輸液の実施状況を時刻に対応付けて表示する情報であるラインについて、ルートが分岐された時刻からルートを含む別タイトルを表示する。その結果、輸液のルートに分岐が接続されたことが容易に確認できる。
【００６３】
また、端末装置１０は、輸液の情報がルートの情報を含む場合に、輸液の実施状況を時刻に対応付けて表示する情報であるラインについてルートの情報をタイトル名に含むタイトルを表示する。その結果、輸液のラインのルートを容易に確認できる。
【００６４】
また、端末装置１０は、輸液の実施状況を時刻に対応付けて表示する情報であるラインが重なる場合に、ラインについて輸液ごとに同名のタイトルを表示する。その結果、同一の手技およびルートの輸液を容易に区別することができる。
【００６５】
また、端末装置１０は、輸液の実施状況を時刻に対応付けて表示する情報であるラインが重ならない場合に、既存のタイトル上にラインを表示する。その結果、表示が煩雑にならず、投与状況を容易に確認できる。
【００６６】
また、端末装置１０は、ルートの変更があった輸液の実施状況を時刻に対応付けて表示する情報であるラインについて、ラインに所定の文字を付加する。その結果、同一の輸液について異なるタイトルで表示された場合であっても、輸液の投与状況を容易に確認できる。
【００６７】
また、端末装置１０では、輸液の情報は、手技、ルート、輸液の点滴速度、および、輸液の開始時刻を有する。また、端末装置１０は、輸液の情報を患者の識別情報に対応付けて記憶するデータベースから該輸液の情報を取得する。その結果、データベースに記憶された輸液の情報に基づいて、投与状況を容易に確認できる。
【００６８】
また、端末装置１０は、さらに、輸液の情報の入力を受け付けて、受け付けた輸液の情報をデータベースに記憶する。その結果、注射オーダの実施の登録と、輸液の投与状況の確認を１つの端末で行うことができる。
【００６９】
なお、上記実施例では、輸液の情報として、手技、ルート、輸液の点滴速度、および、輸液の開始時刻を挙げたが、これに限定されない。例えば、コメント、医師名、薬品名、用法、用量等の情報を加えてもよい。
【００７０】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、受付部１６と取得部１７とを統合してもよい。また、図示した各処理は、上記の順番に限定されるものではなく、処理内容を矛盾させない範囲において、同時に実施してもよく、順序を入れ替えて実施してもよい。
【００７１】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００７２】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１０は、医療情報表示プログラムを実行するコンピュータの一例を示す図である。
【００７３】
図１０に示すように、コンピュータ２００は、各種演算処理を実行するＣＰＵ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するＲＡＭ２０７と、ハードディスク装置２０８とを有する。また、各装置２０１〜２０８は、バス２０９に接続される。
【００７４】
ハードディスク装置２０８には、図１に示した受付部１６、取得部１７および表示制御部１８の各処理部と同様の機能を有する医療情報表示プログラムが記憶される。また、ハードディスク装置２０８には、医療情報表示プログラムを実現するための各種データが記憶される。入力装置２０２は、例えば、図１に示した入力部１２と同様の機能を有し、患者の識別情報の入力を受け付ける。また、入力装置２０２は、例えば、図１に示した表示操作部１３の入力デバイスと同様の機能を有し、コンピュータ２００のユーザから操作情報等の各種情報の入力を受け付ける。モニタ２０３は、例えば、コンピュータ２００のユーザに対して入力画面、経過表画面および各種画面を表示する。インタフェース装置２０５は、例えば印刷装置等が接続される。通信装置２０６は、例えば、図１に示した通信部１１と同様の機能を有しネットワークＮと接続され、端末装置２０およびサーバ１００と各種情報をやりとりする。
【００７５】
ＣＰＵ２０１は、ハードディスク装置２０８に記憶された各プログラムを読み出して、ＲＡＭ２０７に展開して実行することで、各種の処理を行う。また、これらのプログラムは、コンピュータ２００を図１に示した受付部１６、取得部１７および表示制御部１８として機能させることができる。
【００７６】
なお、上記の医療情報表示プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの医療情報表示プログラムを記憶させておき、コンピュータ２００がこれらから医療情報表示プログラムを読み出して実行するようにしてもよい。
【００７７】
以上、本実施例を含む実施の形態に関し、さらに以下の付記を開示する。
【００７８】
（付記１）患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得する取得部と、
取得した前記輸液の情報に、同一の手技およびルートである複数の輸液の情報が含まれる場合、前記複数の輸液それぞれの実施状況を示す情報を前記輸液ごとに識別可能に表示する表示制御部と、
を有することを特徴とする医療情報表示装置。
【００７９】
（付記２）前記表示制御部は、前記複数の輸液それぞれの実施状況を示す情報を前記輸液の手技およびルートの組み合わせごとに識別可能に表示する、
ことを特徴とする付記１に記載の医療情報表示装置。
【００８０】
（付記３）前記表示制御部は、前記複数の輸液それぞれの実施状況を示す情報を、互いに異なるエリアに表示する、
ことを特徴とする付記１または２に記載の医療情報表示装置。
【００８１】
（付記４）前記表示制御部は、前記輸液の情報が、同一の手技およびルートである複数の前記輸液がなく、前記ルートが分岐された情報を含む場合に、前記輸液の実施状況を時刻に対応付けて表示する情報であるラインについて、前記ルートが分岐された時刻から前記ルートを含む別タイトルを表示する、
ことを特徴とする付記１〜３のいずれか１つに記載の医療情報表示装置。
【００８２】
（付記５）前記表示制御部は、前記輸液の情報が前記ルートの情報を含む場合に、前記輸液の実施状況を時刻に対応付けて表示する情報であるラインについて前記ルートの情報をタイトル名に含むタイトルを表示する、
ことを特徴とする付記１〜４のいずれか１つに記載の医療情報表示装置。
【００８３】
（付記６）前記表示制御部は、前記輸液の実施状況を時刻に対応付けて表示する情報であるラインが重なる場合に、前記ラインについて前記輸液ごとに同名のタイトルを表示する、
ことを特徴とする付記１〜５のいずれか１つに記載の医療情報表示装置。
【００８４】
（付記７）前記表示制御部は、前記輸液の実施状況を時刻に対応付けて表示する情報であるラインが重ならない場合に、既存のタイトル上に前記ラインを表示する、
ことを特徴とする付記１〜６のいずれか１つに記載の医療情報表示装置。
【００８５】
（付記８）前記表示制御部は、前記ルートの変更があった前記輸液の実施状況を時刻に対応付けて表示する情報であるラインについて、前記ラインに所定の文字を付加する、
ことを特徴とする付記１〜７のいずれか１つに記載の医療情報表示装置。
【００８６】
（付記９）前記輸液の情報は、前記手技、前記ルート、前記輸液の点滴速度、および、前記輸液の開始時刻を有し、
前記取得部は、前記輸液の情報を患者の識別情報に対応付けて記憶するデータベースから該輸液の情報を取得する、
ことを特徴とする付記１〜８のいずれか１つに記載の医療情報表示装置。
【００８７】
（付記１０）さらに、前記輸液の情報の入力を受け付けて、受け付けた前記輸液の情報を前記データベースに記憶する受付部を有する、
ことを特徴とする付記９に記載の医療情報表示装置。
【００８８】
（付記１１）患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得し、
取得した前記輸液の情報に、同一の手技およびルートである複数の輸液の情報が含まれる場合、前記複数の輸液それぞれの実施状況を示す情報を前記輸液ごとに識別可能に表示する、
処理をコンピュータが実行することを特徴とする医療情報表示方法。
【００８９】
（付記１２）前記表示する処理は、前記複数の輸液それぞれの実施状況を示す情報を前記輸液の手技およびルートの組み合わせごとに識別可能に表示する、
ことを特徴とする付記１１に記載の医療情報表示方法。
【００９０】
（付記１３）前記表示する処理は、前記複数の輸液それぞれの実施状況を示す情報を、互いに異なるエリアに表示する、
ことを特徴とする付記１１または１２に記載の医療情報表示方法。
【００９１】
（付記１４）前記表示する処理は、前記輸液の情報が、同一の手技およびルートである複数の前記輸液がなく、前記ルートが分岐された情報を含む場合に、前記輸液の実施状況を時刻に対応付けて表示する情報であるラインについて、前記ルートが分岐された時刻から前記ルートを含む別タイトルを表示する、
ことを特徴とする付記１１〜１３のいずれか１つに記載の医療情報表示方法。
【００９２】
（付記１５）前記表示する処理は、前記輸液の情報が前記ルートの情報を含む場合に、前記輸液の実施状況を時刻に対応付けて表示する情報であるラインについて前記ルートの情報をタイトル名に含むタイトルを表示する、
ことを特徴とする付記１１〜１４のいずれか１つに記載の医療情報表示方法。
【００９３】
（付記１６）前記表示する処理は、前記輸液の実施状況を時刻に対応付けて表示する情報であるラインが重なる場合に、前記ラインについて前記輸液ごとに同名のタイトルを表示する、
ことを特徴とする付記１１〜１５のいずれか１つに記載の医療情報表示方法。
【００９４】
（付記１７）前記表示する処理は、前記輸液の実施状況を時刻に対応付けて表示する情報であるラインが重ならない場合に、既存のタイトル上に前記ラインを表示する、
ことを特徴とする付記１１〜１６のいずれか１つに記載の医療情報表示方法。
【００９５】
（付記１８）前記表示する処理は、前記ルートの変更があった前記輸液の実施状況を時刻に対応付けて表示する情報であるラインについて、前記ラインに所定の文字を付加する、
ことを特徴とする付記１１〜１７のいずれか１つに記載の医療情報表示方法。
【００９６】
（付記１９）前記輸液の情報は、前記手技、前記ルート、前記輸液の点滴速度、および、前記輸液の開始時刻を有し、
前記取得する処理は、前記輸液の情報を患者の識別情報に対応付けて記憶するデータベースから該輸液の情報を取得する、
ことを特徴とする付記１１〜１８のいずれか１つに記載の医療情報表示方法。
【００９７】
（付記２０）さらに、前記輸液の情報の入力を受け付けて、受け付けた前記輸液の情報を前記データベースに記憶する、
ことを特徴とする付記１９に記載の医療情報表示方法。
【００９８】
（付記２１）患者の識別情報を受け付けると、患者に対する輸液の手技およびルートを含む輸液の情報を該患者の識別情報に対応付けて記憶する記憶部を参照して、受け付けた前記識別情報に対応付けられた輸液の情報を取得し、
取得した前記輸液の情報に、同一の手技およびルートである複数の輸液の情報が含まれる場合、前記複数の輸液それぞれの実施状況を示す情報を前記輸液ごとに識別可能に表示する、
処理をコンピュータに実行させることを特徴とする医療情報表示プログラム。
【００９９】
（付記２２）前記表示する処理は、前記複数の輸液それぞれの実施状況を示す情報を前記輸液の手技およびルートの組み合わせごとに識別可能に表示する、
ことを特徴とする付記２１に記載の医療情報表示プログラム。
【０１００】
（付記２３）前記表示する処理は、前記複数の輸液それぞれの実施状況を示す情報を、互いに異なるエリアに表示する、
ことを特徴とする付記２１または２２に記載の医療情報表示プログラム。
【０１０１】
（付記２４）前記表示する処理は、前記輸液の情報が、同一の手技およびルートである複数の前記輸液がなく、前記ルートが分岐された情報を含む場合に、前記輸液の実施状況を時刻に対応付けて表示する情報であるラインについて、前記ルートが分岐された時刻から前記ルートを含む別タイトルを表示する、
ことを特徴とする付記２１〜２３のいずれか１つに記載の医療情報表示プログラム。
【０１０２】
（付記２５）前記表示する処理は、前記輸液の情報が前記ルートの情報を含む場合に、前記輸液の実施状況を時刻に対応付けて表示する情報であるラインについて前記ルートの情報をタイトル名に含むタイトルを表示する、
ことを特徴とする付記２１〜２４のいずれか１つに記載の医療情報表示プログラム。
【０１０３】
（付記２６）前記表示する処理は、前記輸液の実施状況を時刻に対応付けて表示する情報であるラインが重なる場合に、前記ラインについて前記輸液ごとに同名のタイトルを表示する、
ことを特徴とする付記２１〜２５のいずれか１つに記載の医療情報表示プログラム。
【０１０４】
（付記２７）前記表示する処理は、前記輸液の実施状況を時刻に対応付けて表示する情報であるラインが重ならない場合に、既存のタイトル上に前記ラインを表示する、
ことを特徴とする付記２１〜２６のいずれか１つに記載の医療情報表示プログラム。
【０１０５】
（付記２８）前記表示する処理は、前記ルートの変更があった前記輸液の実施状況を時刻に対応付けて表示する情報であるラインについて、前記ラインに所定の文字を付加する、
ことを特徴とする付記２１〜２７のいずれか１つに記載の医療情報表示プログラム。
【０１０６】
（付記２９）前記輸液の情報は、前記手技、前記ルート、前記輸液の点滴速度、および、前記輸液の開始時刻を有し、
前記取得する処理は、前記輸液の情報を患者の識別情報に対応付けて記憶するデータベースから該輸液の情報を取得する、
ことを特徴とする付記２１〜２８のいずれか１つに記載の医療情報表示プログラム。
【０１０７】
（付記３０）さらに、前記輸液の情報の入力を受け付けて、受け付けた前記輸液の情報を前記データベースに記憶する、
ことを特徴とする付記２９に記載の医療情報表示プログラム。
【符号の説明】
【０１０８】
１  医療情報システム
１０，２０  端末装置
１１  通信部
１２  入力部
１３  表示操作部
１４  記憶部
１５  制御部
１６  受付部
１７  取得部
１８  表示制御部
１００  サーバ
１１０  通信部
１２０  記憶部
１２１  ＩＮ項目ＤＢ
１３０  制御部
１３１  ＤＢ管理部
Ｎ  ネットワーク
【図１】
0006551170.tif 000002
【図２】
0006551170.tif 000003
【図３】
0006551170.tif 000004
【図４】
0006551170.tif 000005
【図５】
0006551170.tif 000006
【図６】
0006551170.tif 000007
【図７】
0006551170.tif 000008
【図８】
0006551170.tif 000009
【図９】
0006551170.tif 000010
【図１０】
0006551170.tif 000011